(57)【要約】本発明は、血液及び透析液のうちいずれか一つ以上の流通するための少なくとも一つの導管と、前記血液及び透析液のうち少なくとも一つの流体を加温する加温ユニットと、を含み、加温機能を有する血液透析、血液透析濾過、血液濾過又は腹膜透析用装置に関する。前記加温ユニットによって加温される加温対象となる流体は人体に投入される物質である。前記加温ユニットは、加温対象となる流体の流速と前記流速に関する注入温度を測定することで前記加温対象となる流体を加温するように配置される。前記加温ユニットは、加温対象となる流体が流れる流路と、前記流路の一部を成し熱を発生させるヒーターと、前記流路に流体が流入する第１連結部及び前記流路から流体が流出する第２連結部を含むカバー手段と、を備える。本発明には人体の体温と同等の温度の血液を投入するようになるため血液透析による副作用を防止することができるという効果があり、ヒーターの周りに形成された流路の形状を改善することで血液を効果的に加温することができるという効果もある。
2014521392.tif 000002
【特許請求の範囲】
【請求項１】
血液及び透析液のうちいずれか一つ以上を流通するための少なくとも一つの導管と、前記血液及び透析液のうち少なくとも一つの流体を加温する加温ユニットと、を含み、加温機能を有する血液透析、血液透析濾過、血液濾過又は腹膜透析用装置であって、
前記加温ユニットによって加温される前記流体は、人体に投入される物質であり、
前記加温ユニットは、加温対象となる前記流体の流速と前記流速に関する注入温度を測定するように、前記加温対象となる流体を加温するために配置されることを特徴とする血液透析、血液透析濾過、血液濾過又は腹膜透析用装置。
【請求項２】
前記加温ユニットは、
加温対象となる前記流体が流れる流路と、
前記流路の一部として形成され、熱を発生するヒーターと、
前記流路に前記流体が流入する第１連結部及び前記流路から前記流体が流出する第２連結部を含むカバー手段と、を備えることを特徴とする請求項１に記載の血液透析、血液透析濾過、血液濾過又は腹膜透析用装置。
【請求項３】
前記カバー手段は、それぞれ隔壁部材を有する第１カバー及び第２カバーを含むことを特徴とする請求項２に記載の血液透析、血液透析濾過、血液濾過又は腹膜透析用装置。
【請求項４】
前記流路は、前記第１カバー及び第２カバーの間に位置する前記ヒーターと、互いに結合された前記第１カバー及び第２カバーと、により形成されることを特徴とする請求項２又は請求項３に記載の血液透析、血液透析濾過、血液濾過又は腹膜透析用装置。
【請求項５】
前記流路は、前記ヒーターの前面及び背面に形成される隔壁部材を前記カバー手段と結合させることで形成されることを特徴とする請求項２に記載の血液透析、血液透析濾過、血液濾過又は腹膜透析用装置。
【請求項６】
流体が前記ヒーターの回りで回転移動するように、前記流路が前記ヒーターを囲むように形成されることを特徴とする請求項２に記載の血液透析、血液透析濾過、血液濾過又は腹膜透析用装置。
【請求項７】
前記ヒーターは、前面及び背面に形成された抵抗パターンを有することを特徴とする請求項２に記載の血液透析、血液透析濾過、血液濾過又は腹膜透析用装置。
【請求項８】
前記ヒーターの前面及び背面に形成された前記抵抗パターンは互いに電気的に切り離されることを特徴とする請求項２又は請求項７に記載の血液透析、血液透析濾過、血液濾過又は腹膜透析用装置。
【請求項９】
前記ヒーターは、ＰＣＢ（ｐｒｉｎｔｅｄ  ｃｉｒｃｕｉｔ  ｂｏａｒｄ）基板で形成されることを特徴とする請求項２に記載の血液透析、血液透析濾過、血液濾過又は腹膜透析用装置。
【請求項１０】
前記ヒーターは、前面及び背面がパリレン物質でコーティングされることを特徴とする請求項２に記載の血液透析、血液透析濾過、血液濾過又は腹膜透析用装置。
【請求項１１】
前記ヒーターの一部分は前記カバー手段の外側に突出し、前記突出した部分の前面及び背面には電源印加電極が形成されることを特徴とする請求項２に記載の血液透析、血液透析濾過、血液濾過又は腹膜透析用装置。
【請求項１２】
前面及び背面には温度感知センサーと連結された温度センシング電極が形成されることを特徴とする請求項２に記載の血液透析、血液透析濾過、血液濾過又は腹膜透析用装置。
【請求項１３】
前記ヒーターには前面及び背面を貫通する貫通孔が形成され、前記カバー手段は前記貫通孔を介して結合されることを特徴とする請求項２に記載の血液透析、血液透析濾過、血液濾過又は腹膜透析用装置。
【請求項１４】
前記加温ユニットを受けると共に上部ケース及び下部ケースを有するケースを更に備え、
前記ケースは、前記ヒーターの一部が挿入される電極挿入溝及び電源コネクタを有することを特徴とする請求項２に記載の血液透析、血液透析濾過、血液濾過又は腹膜透析用装置。
【請求項１５】
前記ヒーターの前面及び背面にはそれぞれ２つの電源印加電極が形成され、コネクタの電源は前記電源コネクタを介して直列又は並列に連結されることを特徴とする請求項１１に記載の血液透析、血液透析濾過、血液濾過又は腹膜透析用装置。
【請求項１６】
前記カバー手段は、ＵＶ接着又は超音波接着のうちいずれか一つで結合されることを特徴とする請求項２に記載の血液透析、血液透析濾過、血液濾過又は腹膜透析用装置。
【発明の詳細な説明】
【技術分野】
【０００１】
本発明は加温機能を有する血液透析、血液透析濾過、血液濾過又は腹膜透析用装置に関するものであって、より詳しくは、人体に投入される血液又は透析液の温度を体温と同じく又は類似に維持するようにする加温機能を有する血液透析、血液透析濾過、血液濾過又は腹膜透析用装置に関するものである。
【背景技術】
【０００２】
腎臓の一部又は全体に機能障害が起こると、人体は、水及び無機質を除去し、有害代謝物を分泌し、酸と塩基の均衡を維持し、電解質及び無機質の濃度を生理的範囲内に調節する能力を失ってしまう。
【０００３】
結局小便の形で体外に排出すべき老廃物、即ち、尿素（ｕｒｅａ）、クレアチニン及び尿酸を含む尿毒性廃代謝物質（ｕｒｅｍｉｃ  ｗａｓｔｅ  ｍｅｔａｂｏｌｉｔｅ）が血中に蓄積されると共に体内の電解質バランスの不均衡が発生すると、ひどい場合には死に至ることになる。
【０００４】
前記のような廃毒素及び過量の水を除去して腎臓の機能を代替する目的で血液透析又は腹膜透析が広く行われており、拡散や濾過の原理によって血中の老廃物を体外に除去すると共に電解質バランスの均衡化を図っている。
【０００５】
通常、血液透析装置において、血液側と透析液側との間で透析膜を経る物質移動が行われるように透析膜が装着された血液透析フィルターが具備される。老廃物及び毒素は血液から半透過性の透析膜を介して透析液に透析されて外部に排出される。
【０００６】
前記透析膜は平膜型と中空糸膜型とで大きく分けられるが、現在は一般に筒状の容器に中空糸膜の束を装填しその両端部に樹脂層部を設置した中空糸膜型の血液透析フィルターが血液透析フィルターの大部分を占めている。
【０００７】
腹膜透析法においては、前記血液透析フィルターが必要なく、患者自身の腹膜が透析膜として利用される。すなわち、腹膜透析は、患者の腹部に特殊製造された柔らかい管を挿入し、その管を介して透析液を注入し排液することで体内の老廃物と水分などを除去する方法である。
【０００８】
図１は、従来技術による一般的な血液透析装置の構成を概略的に示す概略図である。
【０００９】
図１に示したように、従来の血液透析装置は、血液と透析液が内部を通るように構成されて血液内の不純物を透析液に排出させる血液透析フィルター１００と、前記血液透析フィルター１００にきれいな透析液を供給するための純粋透析液タンク２００と、前記血液透析フィルター１００を経た透析液を入れるための透析液回収タンク３００と、前記透析液フィルター１００に供給されるきれいな透析液と血液透析フィルター１００から回収された透析液を比べて透析液供給量と透析液回収量を一定に調節するバランサー４００と、患者の血液を血液透析フィルター１００に供給するための血液ポンプ５００と、純粋透析液タンク２００内の透析液を血液透析フィルター１００に供給するための透析液ポンプ６００と、を含んで構成される。
【００１０】
前記血液透析フィルター１００は、内部空間を有するハウジング１１０と、前記ハウジング１１０の内部空間に装着される中空糸膜型の透析膜と、を含んで構成される。前記ハウジング１１０は、上側と下側にそれぞれ血液流入口１１２と血液流出口１１４を有し、前記ハウジング１１０の側面下端部と上端部にはそれぞれ透析液流入口１１６と透析液流出口１１８を有する。よって、前記血液流入口１１２に流入された血液は前記透析膜の内部を経て血液流出口１１４に排出され、前記透析液流入口１１６に流入された血液は透析膜とハウジング１１０との間の空間を経て前記透析液流出口１１８に排出される。
【００１１】
前記透析液フィルター１００では、血液と透析液が反対側に流れる。血液ポンプ５００と透析液ポンプ６００はそれぞれ血液流入口１１２と透析液流入口１１６側に装着されるため、血液と透析液はそれぞれ血液流入口１１４と透析液流出口１１８側に行くほど圧力が低くなる。
【００１２】
つまり、前記ハウジング１１０の上側、即ち、血液流入口１１２と透析液流出口１１８が形成された部位では、透析液より血液の圧力が高く、前記ハウジング１１０の下側、即ち、血液流出口１１４と透析液流入口１１６が形成された部位では血液より透析液の圧力が高い。
【００１３】
結局、血液圧力が透析液圧力より高い場所では水分と電解質及び老廃物が透析液側に拡散され、透析液の圧力が血液の圧力より高い場所では透析液が血液側に伝達される。このような拡散反応が持続されることで、血液内の老廃物は次第に血液の外部に排出され、老廃物が除去されたきれいな血が人体に供給されるようになる。
【００１４】
ところで、前記従来技術の血液透析装置では、血液が人体から出て前記血液透析フィルター１００を経る間にその温度が継続的に低くなり、再び人体に投入される時点では人体の体温に比べかなり低くなるという問題がある。
【００１５】
一般に低温状態の血液が人体に投入される場合、投入された血液の温度を体温と同等の温度にまで上げるためには、人体の新陳代謝によるエネルギーが必要である。公知によると低温状態の血液が人体に投入された場合には体温を低くし、ひどい場合には心臓ショックを起こして死に至る恐れがある。
【００１６】
よって、低温状態の血液は、人体に血液を投入する前に、体温と等しいか近い温度にまで加温する必要がある。
【００１７】
本発明の出願人は、輸液や血液を人体に注入する際に輸液や血液を体温と同等の温度に加温して注入する医療用加温装置を開発して韓国への特許出願を行なっており、特許文献１として登録を受けている。
【先行技術文献】
【特許文献】
【００１８】
【特許文献１】韓国登録特許１０−１０１２５３５号公報
【発明の概要】
【発明が解決しようとする課題】
【００１９】
本発明は前記医療用加温装置を血液透析、血液透析濾過、血液濾過又は腹膜透析用装置に適用することで、血液透析による副作用を防止しようとするものである。
【００２０】
本発明は上述した従来技術の内容に基づいてその問題点を解決するために案出されたものである。特に、本発明の目的は、従来使用されている一般的な透析装置に血液又は透析液を加温する手段を結合して透析による副作用を防止する加温機能を有する血液透析、血液透析濾過、血液濾過又は腹膜透析用装置を提供することにある。
【００２１】
また、本発明の他の目的は、ヒーターの周りに形成された流路の形状を多様にし、血液や透析液の流れを円滑にして血液又は透析液を効果的に加温するように流路の構造が改善された加温機能を有する血液透析、血液透析濾過、血液濾過又は腹膜透析用装置を提供することにある。
【００２２】
しかし、本発明の目的は上述した目的に制限されず、上述していない他の目的は下記から当業者に明確に理解されるはずである。
【課題を解決するための手段】
【００２３】
上述した目的を達成するための本発明の特徴によると、
血液又は透析液のうち一つ以上の流通するための少なくとも一つの導管と、前記血液又は透析液のうち少なくとも一つの流体を加温する加温ユニットと、を含む、加温機能を有する血液透析、血液透析濾過、血液濾過又は腹膜透析用装置において、
前記加温ユニットによって加温される流体は人体に投入される物質であり、
前記加温ユニットは加温対象となる流体の流速と前記流速に関する注入温度を測定することで前記加温対象となる流体を加温するように配置されることを特徴とする血液透析、血液透析濾過、血液濾過又は腹膜透析用装置を提供する。
【００２４】
前記加温ユニットは加温対象となる流体が流れる流路と、前記流路の一部を成し熱を発生させるヒーターと、前記流路に流体が流入する第１連結部及び前記流路から流体が流出する第２連結部を含むカバー手段で形成されることが好ましい。
【００２５】
また、前記カバー手段はそれぞれ隔壁部材を有する第１カバー及び第２カバーで形成されるとより好ましい。
【００２６】
また、前記流路は前記第１カバー及び第２カバーの間に前記ヒーターを位置させて前記第１カバー及び第２カバーを結合させることで形成されるとより好ましい。
【００２７】
また、前記流路は前記ヒーターの前面と背面に形成される隔壁部材とカバー手段を結合させることで形成されるとより好ましい。
【００２８】
また、前記流路は前記ヒーターを囲むように形成されて流体が回転移動されるように形成されるとより好ましい。
【００２９】
また、前記ヒーターは前面及び背面に抵抗パターンが形成されるとより好ましい。
【００３０】
また、前記ヒーターの前面及び背面に形成された抵抗パターンは互いに電気的に分離されるとより好ましい。
【００３１】
また、前記ヒーターはＰＣＢ（ｐｒｉｎｔｅｄ  ｃｉｒｃｕｉｔ  ｂｏａｒｄ）基板で形成されるとより好ましい。
【００３２】
また、前記ヒーターは前面及び背面にパリレン（Ｐａｒｙｌｅｎｅ）物質でコーティングされるとより好ましい。
【００３３】
また、前記ヒーターの一部分は前記カバー手段の外側に突出され、前記突出された部分の前面及び背面には電源印加電極が形成されるとより好ましい。
【００３４】
また、前記ヒーターの前面及び背面には温度感知センサーと連結された温度センシング電極が形成されるとより好ましい。
【００３５】
また、前記ヒーターには前面及び背面を貫通する貫通孔が形成され、前記カバー手段は前記貫通孔を介して結合されるとより好ましい。
【００３６】
また、装置が、前記加温ユニットを受けると共に上部ケース及び下部ケースを有するケースを更に備え、前記ケースは、前記ヒーターの一部が挿入される電極挿入溝及び電源コネクタを有すると好ましい。
【００３７】
また、前記ヒーターの前面及び背面にはそれぞれ２つの電源印加電極が形成され、コネクタの電源は前記電源コネクタを介して直列又は並列に連結されるとさらにより好ましい。
【００３８】
また、前記カバー手段はＵＶ接着又は超音波接着のうちいずれか一つで結合されるとさらにまたより好ましい。
【発明の効果】
【００３９】
本発明により、加温機能を有する血液透析、血液透析濾過、血液濾過又は腹膜透析用装置は、血液又は透析液を加温する加温手段が従来技術の一般的な透析装置に追加されるという効果をもたらし、体温と同等または近い温度の血液又は透析液を人体に投入できるようになるため、透析による副作用を防止することができる。
【００４０】
また、本発明によれば、ヒーターの周りに形成された流路の形状を改善することで、血液又は透析液を効果的に加温することができる。
【図面の簡単な説明】
【００４１】
【図１】従来技術による一般的な血液透析装置の構成を概略的に示す概略図である。
【図２】本発明の好ましい実施例による加温機能を有する血液透析装置の構成を概略的に示す概略図である。
【図３】本発明の好ましい実施例による加温ユニットの構成を示す分解斜視図である。
【図４】本発明の好ましい実施例による加温ユニットの構成を示す結合斜視図である。
【図５】図４のＡ−Ａ’による断面図である。
【図６】本発明の他の実施例による加温ユニットの構成を示す斜視図である。
【図７】図６のＢ−Ｂ’による断面図である。
【図８】本発明のまた他の実施例による加温ユニットの構成を示す断面図である。
【図９】本発明の好ましい実施例における電源印加電極及び温度センシング電極が連結されることを説明する図である。
【図１０】本発明の加温ユニットにおける電源コネクタの電気的並列連結及び直列連結関係を示す図である。
【図１１】本発明の加温ユニットにおける電源コネクタの電気的並列連結及び直列連結関係を示す図である。
【図１２】本発明による加温ユニットが組み立てられた状態を説明する図である。
【図１３】本発明の動作を説明するフローチャートである。
【発明を実施するための形態】
【００４２】
添付の図面は、本発明の更なる理解をもたらすために含まれ且つ組み込まれて本願の一部をなすものであり、明細書と共に本発明の１つ以上の実施形態を例示し、本発明の原理の説明に役立つものである。
【００４３】
以下、本発明の目的を達成するための実施例を添付した図面を参照して詳細に説明する。
【００４４】
以下の実施例では血液透析装置を中心に説明するが、本発明の技術的思想は血液透析、血液透析濾過、血液濾過又は腹膜透析用装置全てに適用される。
【００４５】
添付の図面を参照して後述する実施形態は、本発明の特徴のよりよい理解のためのみに示されたものであり、本発明の範囲を限定することは意図されていない。
【００４６】
また、本発明を説明するに当たって関連する公知機能又は構成に対する具体的な説明が本発明の要旨を不明確にする恐れがあると判断される場合にはその詳細な説明を省略する。
【００４７】
また、本発明を成す技術的構成要素を効率的に説明するためにそれぞれのシステムの機能構成に予め具備されているか又は本発明が属する技術分野で通常的に具備されるシステムの機能構成はできるだけ省略し、本発明のために追加的に具備すべき機能構成を主として説明する。
【００４８】
図２は、本発明の好ましい実施例による加温機能を有する血液透析装置の構成を概略的に示す概略図である。
【００４９】
本発明による加温機能を有する血液透析装置は、図２を参照すると、透析液のための第１流動回路１０と、血液のための第２流動回路１２と、透析液を直接人体に注入するための導管１４と、を具備する。
【００５０】
第２流動回路１２は、前記導管１４に繋がれた点滴チェンバー（ｄｒｉｐ  ｃｈａｍｂｅｒ）１６を備える。連結部１８，２０は患者に連結される。血液濾過器２１は第１流動回路１０と第２流動回路１２との間に連結されている。前記血液濾過器２１には半透過性膜２２が設置されている。
【００５１】
一方、本発明の他の実施例による腹膜透析のための装置は透析器または血液濾過器２１を具備しないが、その理由は患者の腹膜が透析器の膜として機能するためである。
【００５２】
バイパス導管２５が弁２３，２４の間に配置される。したがって、弁２３，２４を適切に設定することにより、透析液が血液濾過器２１を通過する代わりにバイパス導管２５を通過することができる。
【００５３】
本発明の実施例において、蒸留水又は透析液を注入するための多数の入口２６，２８，３０が具備されるが、その数は選択的に必要に応じて異なるように構成してもよい。
【００５４】
透析液の正確な組成は準備ユニット３４で予め準備される。
【００５５】
未説明符号３８，３９は、それぞれ、全体的な動作を制御するプロセスユニットと、コンピュータを示す。透析液の正確な組成は準備ユニット３４で予め準備される。
【００５６】
前記した透析装置において、よく知られた要素や機能の詳細な説明は簡略化のため省略する。
【００５７】
これまで説明した前記装置は、該当技術分野に携わっている者によく知られている。
【００５８】
参照符号７００は本発明の特徴的な部分であって、血液や透析液のうち少なくとも一つの流体を加温する加温ユニットを示す。加温ユニット７００は、患者の人体に投入される直前に加温されることが好ましい流体、例えば血液や透析液を加温する。加温ユニット７００において、加温に消耗されるエネルギーは、加温対象となる流体の流速と透析している注入温度によって決まる。よって、加温ユニット７００は、異なり得る加温対象となる流体の流速と注入温度に応じて、加温対象となる流体を効率的に加温するように配置される。
【００５９】
図３および図５に示したように、本発明に適用される加温ユニット７００には第１カバー７２０、ヒーター７５０及び第２カバー７４０が含まれる。ヒーター７５０は、第１カバー７２０と第２カバー７４０との間に配置される。この際、第１カバーと第２カバー７４０はＵＶ接着又は超音波接着のうちいずれか一つで結合される。
【００６０】
第１カバー７２０の、ヒーターと対面する面には、複数の第１隔壁７２７が形成され、前記第２カバー７２０の、ヒーター７５０と対面する面には、複数の第２隔壁７４７が形成される。第１カバー７２０と第１隔壁７２７は一体に射出されて形成され、同じく第２カバー７４０と第２隔壁７４７は一体に射出されて形成される。
【００６１】
第１隔壁７２７は傾斜した形態で形成され、第２隔壁７４７も傾斜した形態で形成されて、ヒーター７５０と共に流路を連続的に形成する。
【００６２】
第１カバー７２０及び第２カバー７４０の隔壁と隔壁との間には、実質的にＵ字状が形成される。このＵ字状の開口部を前記ヒーター７５０の一面に密着させることで、断面視で「□」状の流路を形成する。この際、「□」状の流路はヒーター７５０の前面及び背面にそれぞれ形成され、図３に示したように、流路の方向は、流路に囲まれたヒーター７５０の幅方向に延びている。しかしながら、より効率的な加温のためにはヒーター７５０の長さ方向に延びていてもよい。
【００６３】
流路は、第１隔壁２７２を含む第１カバー７２０及びヒーター７５０の前面の一方の結合と、第２隔壁７４７を含む第２カバー７４０及びヒーター７５０の後面の他方の結合により、ヒーター７５０を取り囲むねじ山状に形成される。これにより、流路がヒーター７５０の前面及び背面に沿って延び、チューブ状の流路が形成される。
【００６４】
ヒーター７５０が流路の一面を成すようにすることで、ヒーター７５０で発生した熱が流路を介して流れる流体に効率的に伝達されるだけでなく、高速に注入される血液が円滑に流れるようにすることで血液中の赤血球などの破壊を防ぐことができる。
【００６５】
また、本発明の他の実施例によると、図８に示したように、ヒーター７５０は、第１カバー７２０及び第２カバー７４０を結合した隔壁部材７６０を有していてもよく、これによりねじ山の形状と幅及び長さ方向の流れを有する流路を形成することができる。即ち、この場合、隔壁部材７６０は、第１カバー７２０及び第２カバー７４０に形成されず、ヒーター７５０に形成される。
【００６６】
また、第１カバー７２０は流体が流入される第１連結部７２１と流体が流出される第２連結部７２２とを含む。よって、第１隔壁７２７を含む第１カバー７２０と第２隔壁７４７を含む第２カバー７４０が結合された場合、流体は第１連結部７２１から流入し、流路を経て、第２連結部７２２を介して流出する。
【００６７】
ヒーター７５０は、前面及び背面に抵抗パターン７５２が形成されている。抵抗パターン７５２は、やはりヒーター７５０の前面及び背面に形成された電源印加電極７５３と連結されている。これにより、抵抗パターン７５２は、電源印加電極７５３を介して印加される電源によって熱を作り出す。
【００６８】
また、ヒーター７５０は板状として多様に製作されてもよいが、安価で正確な抵抗値を得ることができて量産が可能なＰＣＢ（Ｐｒｉｎｔｅｄ  Ｃｉｒｃｕｉｔ  Ｂｏａｒｄ（プリント回路板））で作られたヒーターが好ましい。
【００６９】
ヒーター７５０の前面及び背面に形成された抵抗パターン７５２を互いに直列又は並列に連結する場合には、抵抗パターン７５２をビアホール（ｖｉａ  ｈｏｌｅ）で互いに連結すべきである。しかしながら、ビアホールを作る工程の中で抵抗パターン７５２の抵抗値が変わるという副作用が発生する。ビアホールにより引き起こされるこのような副作用を防止するためには、もちろんビアホールを使用することなく、抵抗パターン７５２を電気的に互いと連結せずに製作することが好ましい。
【００７０】
ヒーター７５０で望みの発熱を得るためには、適切な電力をヒーター７５０に供給し、温度感知センサーを介して温度を感知すべきである。即ち、上記した目的のためには、前面と背面に形成された温度感知センサー７５７及び抵抗パターン７５２をビアホールなしで直列又は並列で繋ぐべきである。この目的のため、図９〜図１１に示したように、ビアホールの代わりに電源コネクタ７１４ａ，７１４ｂが使用される。
【００７１】
ヒーター７５０の前面及び背面には、電源印加電極７５３、温度センシング電極７５４、及び温度感知センサー７５７が形成され、これら全ては電源コネクタ７１４ａ，７１４ｂを介して並列（図１０を参照）又は直列（図１１を参照）に連結される。
【００７２】
また、ヒーター７５０の絶縁性、防水性、表面潤滑性を改善し、血液や透析液と接触するヒーター７５０の表面で溶出可能な有害な物質の身体への注入を遮断するために、ヒーター７５０の前面及び背面にパリレン（Ｐｏｌｙ−Ｐａｒａ−Ｘｙｌｙｌｅｎｅ，Ｐａｒｙｌｅｎｅ）物質でコーティングすることが好ましい。
【００７３】
また、図４に示したように、ヒーター７５０の一部分は第１カバー７２０と第２カバー７４０の外側に突出している。ヒーター７５０のこの突出した部分の前面及び背面には、電源印加電極７５３及び温度センシング電極７５４が形成される。
【００７４】
一般に流体は低温状態より加温された状態でより多いエアを含む。そのため、第１カバー７２０と第２カバー７４０には流路上に配置されてエア（ａｉｒ）を除去するエアフィルター部（図示せず）が更に含まれてもよい。例えば、エアフィルター部は流体と親和力が少ない疎水性を有する部材で微細空隙を有するメンブレン（ｍｅｍｂｒａｎｅ）が使用されてもよい。
【００７５】
また、ヒーター７５０は、前面及び背面に形成されて流体の温度を感知すると共に感知した信号を温度センシング電極７５４を介して外部に送る温度感知センサー７５７を有していてもよい。
【００７６】
また、第１カバー７２０の第１隔壁７２７及び第２カバー７４０の第２隔壁７４７をヒーター７５０の面にしっかりと密着して固定し、壁７２７，７４７及びヒーター７５０の面の間で物理的に強い接触と組み立てが得られるように、ヒーター７５０には前面及び背面を貫通する貫通孔７５６が形成されている。これにより、本発明の加温ユニットは、流体を身体に高速に注入する際に発生する大きい内部圧力に耐えることができる。したがって、貫通孔は、ＵＶ接着力及び超音波接着力を補完する効果がある。
【００７７】
図１２に示したように、本発明の装置は、ヒーター７５０の一部である電極が挿入される電極挿入溝が形成されたケース７１０を更に含む。電極挿入溝の上下には、ヒーター７５０の前面及び背面に形成された温度センシング電極７５４及び電源印加電極７５３を直列及び並列に連結する電源コネクタが形成される。
【００７８】
ケースは、互いに結合された下部ケース７１１と上部ケース７１２を含む。ケース７１１，７１２の間に加温ユニット７００が配置される。
【００７９】
前記のような構成を有する本発明による加温機能を有する血液透析装置の動作を以下で説明する。
【００８０】
図１３に示したように、全体的な動作はプロセスユニット３８又はコンピュータ３９で制御される。
【００８１】
まず、血液透析をする場合には、透析液が準備ユニット３４を経て第１流動回路１０を通過して血液濾過器２１に供給される、この際、血液は患者の体と連結された連結部２０を経て第２流動回路１２を通過して血液濾過器２１に供給される。
【００８２】
血液濾過器２１では血液と透析液間の圧力差によって血液内の不純物が透析液の方に排出される。老廃物が除去されたきれいな血液は、第２流動回路１２、加温ユニット７００及び点滴チェンバー１６を通って人体に投入されるが、このとき、投入される血液は加温によって体温と同等の温度を有している。
【００８３】
上述した本発明の例示的実施形態には様々な改変が可能であることが、当業者には明らかだろう。しかしながら、これらの改変が添付された特許請求の範囲およびその均等物の範囲内にある限りにおいて、当該改変が本発明の範囲それ自体から逸脱したものと考えるべきではない。
【産業上の利用可能性】
【００８４】
上述したように、本発明によれば、加温機能を有する血液透析、血液透析濾過、血液濾過又は腹膜透析用装置は、血液又は透析液を加温する加温手段が従来技術の一般的な透析装置に追加されるという効果をもたらし、体温と同等または近い温度の血液又は透析液を人体に投入できるようになるため、透析による副作用を防止することができる。
【符号の説明】
【００８５】
１０  第１流動回路
１２  第２流動回路
１４  導管
１６  点滴チェンバー
１８，２０  連結部
２１  血液濾過器
２２  半透過性膜
２３，２４  弁
２５  バイパス導管
２６，２８，３０  入口
３４  準備ユニット
３８  プロセスユニット
３９  コンピュータ
７００  加温ユニット
７１０  ケース
７１１  下部ケース
７１２  上部ケース
７１４ａ，７１４ｂ  電源コネクタ
７２０  第１カバー
７２１  第１連結部
７２７  第１隔壁
７４０  第２カバー
７４７  第２隔壁
７５０  ヒーター
７５２  抵抗パターン
７５３  電源印加電極
７５４  温度センシング電極
７５６  貫通孔
７５７  温度感知センサー
７６０  隔壁部材
【図１】
2014521392.tif 000003
【図２】
2014521392.tif 000004
【図３】
2014521392.tif 000005
【図４】
2014521392.tif 000006
【図５】
2014521392.tif 000007
【図６】
2014521392.tif 000008
【図７】
2014521392.tif 000009
【図８】
2014521392.tif 000010
【図９】
2014521392.tif 000011
【図１０】
2014521392.tif 000012
【図１１】
2014521392.tif 000013
【図１２】
2014521392.tif 000014
【図１３】
2014521392.tif 000015
【国際調査報告】
2014521392.tif 000016
2014521392.tif 000017
2014521392.tif 000018